(57)【特許請求の範囲】
【請求項１】
撮影動作に用いる撮影駆動系と、前記撮影駆動系と第１の回路基板を電気的に接続する第２の回路基板と、を備えるレンズ鏡筒において、
前記第２の回路基板に、
前記第１の回路基板の電気回路から供給される制御信号を前記撮影駆動系に伝達する複数の導通線を有する第１の配線部と、
前記第１の配線部の導通線とは別に設けられた少なくとも１つの導通線を有し、静電気を前記第１の回路基板の接地箇所に導く第２の配線部とを設け、
前記第２の配線部の一方の端部を、前記レンズ鏡筒を構成する部品をレンズ鏡筒基部に固定する締結手段を利用して前記レンズ鏡筒基部に固定し、前記第２の配線部の他方の端部を、前記レンズ鏡筒を撮像装置本体に固定する締結手段を利用して前記撮像装置本体に固定したことを特徴とするレンズ鏡筒。
【請求項２】
前記第２の配線部の前記一方の端部と前記他方の端部にそれぞれ孔を形成し、前記孔の周囲に規定の面積を有しその表面が電気的に接続可能に露出したパターンを設けたことを特徴とする請求項１に記載のレンズ鏡筒。
【請求項３】
請求項１または２に記載のレンズ鏡筒を備えることを特徴とする撮像装置。
【発明の詳細な説明】
【技術分野】
【０００１】
本発明は、静電気による電気回路への影響を防止する場合に好適なレンズ鏡筒及び撮像装置に関する。
【背景技術】
【０００２】
従来、撮影光学系を有するレンズ鏡筒と撮像装置本体から構成される撮像装置においては、レンズ鏡筒と撮像装置本体とを電気的に接続する専用部品を設ける構造が一般的である。このような構造を有する撮像装置では、レンズ鏡筒を構成する第１及び第２の移動枠の外周面に金属製の外周面カバーを取り付けると共に、レンズ鏡筒の前面には金属製の前面カバーを設けている。
【０００３】
また、レンズ鏡筒は、導電性板からなる中継部材と導電性部材によって、上記外周面カバーに生じた静電気を放電させる構成となっている。中継部材は、Ｕ字状の金属板から構成されており、前方に張り出した弾性片部と後方に張り出した接続片部とを備えている。中継部材におけるＵ字状の左右の折返片部を、レンズ鏡筒を構成する固定保持枠に設けられた箱状部の側板部に取り付けている。
【０００４】
中継部材の弾性片部は、左右の折返片部との間で導電性部材を挟持するようになっており、撮像装置の前カバーと接触している。また、中継部材の接続片部は、シャッタユニットと撮像装置本体の回路部を接続するフレキシブル回路基板のグランドラインに半田付けなどにより接続されている。固定保持枠に取り付けられた中継部材は、弾性片部が撮像装置の前カバーに接触して押し戻されることで、弾性片部と折返片部との間で導電性部材を確実に挟持し、導電性部材を外周面カバーに常時接触させる。
【０００５】
このように、中継部材の弾性片部が撮像装置の前カバーに接触していることから、中継部材が前カバーを介してグランドに電気的に接続される。この結果、レンズ鏡筒に静電気が印加されると、印加電流は外周面カバー→導電性部材→中継部材→前カバーという経路で放電される（例えば、特許文献１参照）。
【特許文献１】特開２００２−３５７７５７号公報（第５頁、図２）
【発明の開示】
【発明が解決しようとする課題】
【０００６】
しかしながら、上述した特許文献１記載の技術においては、レンズ筐体に導電性板からなる中継部材と導電性部材という専用部品を設ける必要があるため、部品点数が増加すると共にコストが上昇するという問題がある。また、レンズ鏡筒に中継部材と導電性部材を取り付けるスペースが必要になるため、レンズ鏡筒及び撮像装置本体が大型化するという問題がある。
【０００７】
本発明の目的は、レンズ鏡筒と撮像装置本体を電気的に接続する専用部品を設けることなく簡単な構成で、レンズ鏡筒に静電気が印加された場合でも、誤動作を確実に防止することを可能としたレンズ鏡筒及び撮像装置を提供することにある。
【課題を解決するための手段】
【０００８】
上述の目的を達成するために、本発明のレンズ鏡筒は、撮影動作に用いる撮影駆動系と、前記撮影駆動系と第１の回路基板を電気的に接続する第２の回路基板と、を備えるレンズ鏡筒において、前記第２の回路基板に、前記第１の回路基板の電気回路から供給される制御信号を前記撮影駆動系に伝達する複数の導通線を有する第１の配線部と、前記第１の配線部の導通線とは別に設けられた少なくとも１つの導通線を有し、静電気を前記第１の回路基板の接地箇所に導く第２の配線部とを設け、前記第２の配線部の一方の端部を、前記レンズ鏡筒を構成する部品をレンズ鏡筒基部に固定する締結手段を利用して前記レンズ鏡筒基部に固定し、前記第２の配線部の他方の端部を、前記レンズ鏡筒を撮像装置本体に固定する締結手段を利用して前記撮像装置本体に固定したことを特徴とする。
【発明の効果】
【０００９】
本発明によれば、レンズ鏡筒に静電気が発生すると、静電気は第２の回路基板の第２の配線部の導通線を介して第１の回路基板の接地箇所に導かれる。これにより、レンズ鏡筒と撮像装置本体を電気的に接続する専用部品を設けることなく簡単な構成で、レンズ鏡筒に静電気が印加された場合でも、レンズ鏡筒及びレンズ鏡筒を搭載する撮像装置の誤動作を確実に防止することが可能となる。
【発明を実施するための最良の形態】
【００１０】
以下、本発明の実施の形態を図面に基づいて説明する。
【００１１】
図１は、本発明の実施の形態に係る撮像装置のレンズ鏡筒としての鏡筒ユニット１の構成を示す分解斜視図である。
【００１２】
図１において、鏡筒ユニット１は、撮像装置に搭載されるものであり、固定地板２、フォーカスユニット３、２群シャッタユニット４、１群バリアユニット５、ズームユニット６、ズーム駆動ユニット７、撮像素子ユニット８から構成されている。固定地板２（レンズ鏡筒基部）は、非導電体からなるプラスチック樹脂により構成されており、軸２ａ、軸２ｂ、開口部２ｃ、振止めガイド２ｄ、フック２ｅ（図２参照）を備えている。固定地板２には、後述のフレキシブル基板５３（図５参照）が配置される。フォーカスユニット３〜撮像素子ユニット８の構成は以下詳述する。
【００１３】
図２は、鏡筒ユニット１のフォーカスユニット３の構成を示す分解斜視図である。
【００１４】
図２において、フォーカスユニット３は、フォーカスモータ９（撮影駆動系）、フォーカスカム筒１５、３群ホルダ１６、撮影光学系１７、ガイド軸１９等を備えている。尚、図２では、説明の便宜上、固定地板２、２群シャッタユニット４の２群ホルダ２１、ズームユニット６の直進筒２０も図示している。
【００１５】
フォーカスモータ９は、撮影動作（フォーカス動作）に用いるモータであり、固定ネジ１０、１１により固定地板２に固定されている。フォーカスモータ９の軸方向の先端部には、ピニオンギア１２が圧入により固定されている。ピニオンギア１２は、減速ギア１３と噛合っている。減速ギア１４は、減速ギア１３及びフォーカスカム筒１５のギア部と噛合っている。これにより、フォーカスモータ９の回転力は、減速ギア１３、減速ギア１４を介してフォーカスカム筒１５に伝達される。
【００１６】
減速ギア１３は、固定地板２の軸２ａに回転可能に嵌合した状態で支持されており、フォーカスモータ９により保持されている。減速ギア１４は、固定地板２の軸２ｂに回転可能に嵌合した状態で支持されており、後述する直進筒２０により保持されている。
【００１７】
フォーカスカム筒１５は、固定地板２の開口部２ｃの外周に回転可能に嵌合した状態で支持されており、直進筒２０により保持されている。フォーカスカム筒１５の軸方向の一方の側には、３群ホルダ１６を光軸方向に進退移動させるためのカム１５ａが形成されている。フォーカスカム筒１５の軸方向の他方の側には、減速ギア１４と噛合うギア部１５ｂが周方向に沿って形成されている。フォーカスカム筒１５が反時計方向に回転することで、３群ホルダ１６が光軸方向に繰り出されようになっている。
【００１８】
３群ホルダ１６は、撮影光学系１７を保持しており、フォーカスカム筒１５のカム１５ａに沿って光軸方向に進退移動される。３群ホルダ１６には、嵌合孔１６ａと、嵌合孔１６ａに対して周方向で対向する位置にコの字状の切り欠き部１６ｂと、嵌合孔１６ａの近傍にフック１６ｃが形成されている。３群ホルダ１６は、嵌合孔１６ａがガイド軸１９に摺動可能に嵌合することでガイド軸１９を介して固定地板２に支持されている。また、３群ホルダ１６は、切り欠き部１６ｂが固定地板２の振止めガイド２ｄに摺動可能に嵌合することで回転が規制されている。
【００１９】
フォーカススプリング（ＳＰ）１８は、軸方向の一方の端部が固定地板２のフック２ｅに掛けられており、軸方向の他方の端部が３群ホルダのフック１６ｃに掛けられている。これにより、フォーカスＳＰ１８は、３群ホルダ１６をフォーカスカム筒１５のカム１５ａに当接させる方向に付勢している。ガイド軸１９は、軸方向の一方の端部が固定地板２の穴（不図示）に嵌合しており、軸方向の他方の端部が後述する直進筒２０の孔（不図示）に嵌合している。これにより、ガイド軸１９は、固定地板２に支持されている。
【００２０】
図３は、鏡筒ユニット１の２群シャッタユニット４の構成を示す分解斜視図である。
【００２１】
図３において、２群シャッタユニット４は、２群ホルダ２１、撮影光学系２２、撮影光学系２３、撮影光学系２４、シャッタユニット２５（撮影駆動系）、保持リング２７等を備えている。
【００２２】
２群ホルダ２１は、撮影光学系２２〜２４を保持し、後述するカム筒４２の３本のカム溝４２ｃに沿って光軸方向に進退移動する。２群ホルダ２１には、カム筒４２の３本のカム溝４２ｃに摺動可能に嵌合する３本のカム軸２１ａと、直進筒２０の３本の直進溝２０ａに摺動可能に嵌合する３本の直進キー２１ｂが形成されている。シャッタユニット２５は、固定ネジ２６により２群ホルダ２１に固定されており、２群ホルダ２１と一体で光軸方向に進退移動する。保持リング２７は、シャッタユニット２５の前方に配置され、２群ホルダ２１に固定されている。
【００２３】
図４は、鏡筒ユニット１の１群バリアユニット５の構成を示す分解斜視図である。
【００２４】
図４において、１群バリアユニット５は、１群ホルダ２８、撮影光学系２９、撮影光学系３０、バリア駆動リング３１、バリア羽根３２、バリア羽根３３、バリア保護カバー３６等を備えている。
【００２５】
１群ホルダ２８は、撮影光学系２９、３０を保持し、後述するカム筒４２の３本のカム溝４２ｄに沿って光軸方向に進退移動する。１群ホルダ２８には、カム筒４２の３本のカム溝４２ｄに摺動可能に嵌合する３本のカム軸２８ａと、開口部２８ｂと、孔２８ｃと、孔２８ｄと、直進筒２０の３本の直進溝２０ｂに摺動可能に嵌合する３本の直進キー２８ｅが形成されている。
【００２６】
バリア駆動リング３１は、１群ホルダ２８の開口部２８ｂの外周側に回転可能に嵌合している。バリア駆動リング３１には、カム３１ａ、軸３１ｂ、軸３１ｃが形成されている。バリア駆動リング３１のカム３１ａは、撮影動作を行わない非撮影動作時に、直進筒２０のカム２０ｃと当接するようになっている。バリア羽根３２は、回転軸３２ａが１群ホルダ２８の孔２８ｃに回転可能に嵌合している。バリア羽根３３は、回転軸３３ａが１群ホルダ２８の孔２８ｄに回転可能に嵌合している。これにより、バリア羽根３２、３３は、バリア駆動リング３１の回転に追従してバリア保護カバー３６の開口部３６ａを開閉する。
【００２７】
バリアスプリング３４は、軸方向の一方の端部がバリア羽根３２の軸３２ｂに掛けられており、軸方向の他方の端部がバリア駆動リング３１の軸３１ｂに掛けられている。バリアスプリング３５は、軸方向の一方の端部がバリア羽根３３の軸３３ｂに掛けられており、軸方向の他方の端部がバリア駆動リング３１の軸３１ｃに掛けられている。これにより、バリアスプリング３４、３５は、バリア羽根３２、３３を閉じ方向に付勢している。バリア保護カバー３６は、１群ホルダ２８に固定されることでバリア羽根３２、３３を１群ホルダ２８に保持している。化粧板３８は、固定テープ３７によりバリア保護カバー３６に固定されている。
【００２８】
図５は、鏡筒ユニット１のズームユニット６の構成を示す分解斜視図である。
【００２９】
図５において、ズームユニット６は、直進筒２０、カム筒４２、ズームモータ４３（撮影駆動系）、減速ギア４５、減速ギア４６、ギアカバー４９等を備えている。尚、図５では、説明の便宜上、固定地板２、フォーカスユニット３、２群シャッタユニット４、１群バリアユニット５も図示している。
【００３０】
直進筒２０（レンズ鏡筒を構成する部品）は、導電体からなるプラスチック樹脂により構成されており、３本の固定ネジ３９、４０、４１により固定地板２に固定されている。直進筒２０には、２群シャッタユニット４を光軸方向に直進させる３本の直進溝２０ａと、１群バリアユニット５を光軸方向に直進させる３本の直進溝２０ｂと、バリア羽根駆動リング３１を駆動するカム２０ｃが形成されている。
【００３１】
カム筒４２の外周部には、３本のヘリコイドネジ４２ａが形成されている。カム筒４２は、３本のヘリコイドネジ４２ａが固定地板２の３本のヘリコイドネジ２ｆ（図２）に回転可能に螺合することで、固定地板２に支持されている。カム筒４２のギア部４２ｂには、減速ギア４８が噛合っている。これにより、カム筒４２にズームモータ４３の回転力が伝達される。
【００３２】
カム筒４２の内周部には、３本のカム溝４２ｃと、３本のカム溝４２ｄが形成されている。カム筒４２の３本のカム溝４２ｃは、２群ホルダ２１のカム軸２１ａが摺動可能に嵌合しており、２群ホルダ２１を光軸方向に進退移動させる。カム筒４２の３本のカム溝４２ｄは、１群バリアユニット５の１群ホルダ２８のカム軸２８ａが摺動可能に嵌合しており、１群ホルダ２８を光軸方向に進退移動させる。
【００３３】
ズームモータ４３は、撮影動作（ズーム動作）に用いるモータであり、固定ネジ（不図示）により固定地板２に固定されている。ズームモータ４３の軸方向の先端部には、ウォームギア４４が圧入により固定されている。ウォームギア４４が減速ギア４５と噛合うことで、ズームモータ４３の回転力は減速ギア４５、４６、４７、４８を介してカム筒４２に伝達される。
【００３４】
減速ギア４５は、固定地板２の軸２ｇに回転可能に嵌合した状態で支持されている。減速ギア４６は、固定地板２の軸２ｈに回転可能に嵌合した状態で支持されている。減速ギア４７は、固定地板２の軸２ｉに回転可能に嵌合した状態で支持されている。減速ギア４８は、固定地板２の軸２ｋに回転可能に嵌合した状態で支持されている。減速ギア４５、４６、４７、４８は、ギアカバー４９により固定地板２に保持されている。ギアカバー４９は、３本の固定ネジ５０、５１、５２により固定地板２に固定されている。
【００３５】
図６は、フレキシブル基板５３の導通線の配線状態を示す展開図である。
【００３６】
図６において、フレキシブル基板５３（第２の回路基板）は、固定地板２に配置される単一の基板であり（図１１参照）、第１の配線部５３ａと第２の配線部５３ｂから構成されている。第１の配線部５３ａは、後述するメイン基板６８（図１５参照）（第１の回路基板）の電気回路から制御信号が供給される配線部である。第２の配線部５３ｂは、静電気を放電するための配線部である。
【００３７】
更に、フレキシブル基板５３は、接続部５３ｃ、５３ｄ、５３ｅ、５３ｆ、コネクト部５３ｇ、導通線５３ｈ、孔５３ｉ、導通線５３ｊ、孔５３ｍを備えている。フレキシブル基板５３のコネクト部５３ｇを撮像装置本体６３のメイン基板６８に接続することで、メイン基板６８の電気回路から制御信号をフレキシブル基板５３に供給し、鏡筒ユニット１を駆動させる。
【００３８】
フレキシブル基板５３の第１の配線部５３ａは、複数の導通線５３ｊを有する。複数の導通線５３ｊは、コネクト部５３ｇから各接続部５３ｃ、５３ｄ、５３ｅ、５３ｆに延出されている。フレキシブル基板５３の第２の配線部５３ｂは、第１の配線部５３ａの複数の導通線５３ｊとは別に設けられた少なくとも１つの導通線５３ｈを有する。導通線５３ｈの両端部には、それぞれ、孔５３ｉ、５３ｍが形成されている。孔５３ｉ、５３ｍの周囲には、図８に示すように、それぞれ、規定の面積を有しその表面が電気的に接続可能に露出したパターン５３ｋ、５３ｎが形成されている。
【００３９】
図７は、固定地板２に対するフレキシブル基板５３の第１の配線部５３ａの実装状態を示す斜視図である。図８は、固定地板２に対するフレキシブル基板５３の第１の配線部５３ａの実装状態を示す背面図である。
【００４０】
図７、図８において、フレキシブル基板５３は、固定地板２の外周形状に沿うように曲げられ配置されている。フレキシブル基板５３の第１の配線部５３ａの接続部５３ｃ（図６）は、フォーカスモータ９に接続されている。また、接続部５３ｄは、ズームモータ４３に接続されている。また、接続部５３ｅは、シャッタユニット２５のシャッタフレキシブル基板２５ａに接続されている。また、接続部５３ｆは、フォトインタラプタ５４（撮影駆動系）に接続されている。
【００４１】
図９は、フレキシブル基板５３の第２の配線部５３ｂと鏡筒ユニット１との接続状態を示す背面図である。図１０は、図９の矢視Ａ−Ａ線に沿う部分断面図である。
【００４２】
図９、図１０において、フレキシブル基板５３の第２の配線部５３ｂは、固定地板２の背面側（結像面側）に配置されている。第２の配線部５３ｂの一方の端部は、直進筒２０を鏡筒ユニット１の固定地板２に固定する固定ネジ４１を利用して鏡筒ユニット１に固定される。第２の配線部５３ｂの他方の端部は、鏡筒ユニット１を固定する固定ネジ６５を利用して後述する撮像装置本体６３（図１２参照）に固定される。
【００４３】
図１０に示すように、固定ネジ４１のネジ部４１ａは、フレキシブル基板５３の第２の配線部５３ｂの孔５３ｉを貫通し直進筒２０のネジ孔２０ｅに締め付けられる。これにより、固定ネジ４１と直進筒２０が電気的に接続されている。固定ネジ４１のネジ部４１ａと対向する位置に、ネジ部４１ａより外径が大きく形成されたビット部４１ｂが設けられている。
【００４４】
この場合、ビット部４１ｂは、フレキシブル基板５３の第２の配線部５３ｂの孔５３ｉの外周部に形成されたパターン５３ｋと接触する。これにより、固定ネジ４１とフレキシブル基板５３が電気的に接続されている。従って、鏡筒ユニット１は、直進筒２０→固定ネジ４１→フレキシブル基板５３の第２の配線部５３ｂという経路で、後述するメイン基板６８の接地箇所に電気的に接続されていることになる。
【００４５】
図１１は、鏡筒ユニット１の撮像素子ユニット８の構成を示す分解斜視図である。
【００４６】
図１１において、撮像素子ユニットは、光学フィルタ５５、防塵ゴム５６、撮像素子５７、固定板５８、撮像素子フレキシブル基板６２等を備えている。尚、図５では、説明の便宜上、固定地板２も図示している。
【００４７】
光学フィルタ５５は、固定地板２の開口部２ｃを覆うように凹部２ｍ内に配置され、防塵ゴム５６により固定地板２に保持されている。防塵ゴム５６は、撮像素子５７が組み込まれることでチャージされ、光学フィルタ５５と撮像素子５７との間を密閉することでゴミ等の小さな異物の侵入を防止するようになっている。防塵ゴム５６には、固定地板２の開口部２ｃより大きい開口部５６ａが形成されている。
【００４８】
撮像素子５７は、固定板５８を挟み込むようにして撮像素子フレキシブル基板６２に半田付けされている。固定板５８は、撮像素子５７を保持するものであり、３本の固定ネジ５９、６０、６１により固定地板２に固定されている。撮像素子フレキシブル基板６２は、撮像素子５７が半田付けされており、固定板５８の後方に配置されている。撮像素子フレキシブル基板６２コネクト部６２ａは、後述するメイン基板６８と接続されている。
【００４９】
次に、上記構成を有する本実施の形態の撮像装置において鏡筒ユニット１が撮像装置本体６３に組込まれた状態について詳細に説明する。
【００５０】
図１２は、鏡筒ユニット１が撮像装置本体６３に固定される状態を示す分解斜視図である。図１３は、鏡筒ユニット１が撮像装置本体６３に固定された状態を示す背面図である。図１４は、図１３の矢視Ｂ−Ｂ線に沿う部分断面図である。
【００５１】
図１２、図１３、図１４において、撮像装置本体６３は、非導電体からなるプラスチック樹脂により構成されており、電池室６３ａを備えている。撮像装置本体６３には、３本の固定ネジ６５、６６、６７により鏡筒ユニット１が固定されている。グランド板６４は、鏡筒ユニット１と撮像装置本体６３を挟み込むように配置され、鏡筒ユニット１を固定する固定ネジ６５により撮像装置本体６３に固定されている。
【００５２】
図１４に示すように、グランド板６４の受面６４ａは、フレキシブル基板５３の第２の配線部５３ｂの孔５３ｍの外周部に形成されたパターン５３ｎと接触する。これにより、フレキシブル基板５３とグランド板６４が電気的に接続されている。従って、鏡筒ユニット１は、直進筒２０→固定ネジ４１→フレキシブル基板５３の第２の配線部５３ｂ→グランド板６４という経路で、後述するメイン基板６８の接地箇所に電気的に接続されていることになる。
【００５３】
次に、メイン基板６８が撮像装置本体６３に組込まれた状態について詳細に説明する。
【００５４】
図１５は、メイン基板６８が撮像装置本体６３に組込まれた状態を示す斜視図である。
【００５５】
図１５において、メイン基板６８は、鏡筒ユニット１の後方（背面側）に配置され、グランド板６４の受面６４ｂ、６４ｃ、６４ｄ（図１２参照）に支持され、３本の固定ネジ６９、７０、７１によりグランド板６４に固定されている。この場合、グランド板６４の受面６４ｂ、６４ｃ、６４ｄと、メイン基板６８の表面が電気的に接続可能に露出したパターン（不図示）が電気的に接続されている。
【００５６】
メイン基板６８には、フレキシブル基板５３のコネクト部５３ｇと撮像素子フレキシブル基板６２のコネクト部６２ａが接続されている。これにより、メイン基板６８の電気回路から制御信号をフレキシブル基板５３と撮像素子フレキシブル基板６２に供給し、鏡筒ユニット１を駆動させる。
【００５７】
次に、撮像装置の鏡筒ユニット１に静電気が印加された場合の放電について説明する。
【００５８】
外部から撮像装置の鏡筒ユニット１に静電気が印加されると、静電気に伴う印加電流は、直進筒２０→固定ネジ４１→フレキシブル基板５３の第２の配線部５３ｂ→グランド板６４という経路で（図１４参照）、メイン基板６８の接地箇所に導かれる。
【００５９】
その結果、印加電流は、フレキシブル基板５３の第１の配線部５３ａに接続されているフォーカスモータ９、ズームモータ４３、シャッタユニット２５、フォトインタラプタ５４、メイン基板６８の電気回路を構成する電子部品に流れることがない。これにより、鏡筒ユニット１及び鏡筒ユニット１を搭載する撮像装置の誤動作を確実に防止することができる。
【００６０】
以上説明したように、本実施の形態によれば以下の効果を奏する。フレキシブル基板５３に、メイン基板６８の電気回路から供給される制御信号をフォーカスモータ９を含む撮影駆動系に伝達する第１の配線部５３ａと、発生した静電気をメイン基板６８の接地箇所に導く第２の配線部５３ｂを設ける。更に、第１の配線部５３ａと第２の配線部５３ｂを異なる導通線で構成する。これにより、鏡筒ユニット１に発生した静電気を所定の接地箇所に導くための専用部品が不要になると共にコスト上昇を防止することが可能となる。更に、専用部品を取付けるスペースが不要となるためスペースの有効利用を図ることが可能となる。
【００６１】
また、フレキシブル基板５３の第２の配線部５３ｂの一方の端部を、直進筒２０を鏡筒ユニット１に固定する固定ネジ４１（締結手段）を利用して鏡筒ユニット１に固定する。また、第２の配線部５３ｂの他方の端部を、鏡筒ユニット１を撮像装置本体６３に固定する固定ネジ６５（締結手段）を利用して撮像装置本体６３に固定する。これにより、第２の配線部５３ｂを固定する専用部品が不要になると共にコスト上昇を防止することが可能となる。更に、専用部品を取付けるスペースが不要となるためスペースの有効利用を図ることが可能となる。
【００６２】
また、フレキシブル基板５３の第２の配線部５３ｂに、第１の配線部５３ａの複数の導通線５３ｊとは別に導通線５３ｈを設ける構成としている。これにより、静電気の発生に伴う印加電流が原因で起こる鏡筒ユニット１及び鏡筒ユニット１を搭載する撮像装置の誤動作を確実に防止することが可能となる。
【００６３】
以上をまとめると、レンズ鏡筒と撮像装置本体を電気的に接続する専用部品を設けることなく簡単な構成で、レンズ鏡筒に静電気が印加された場合でもレンズ鏡筒及びレンズ鏡筒を搭載する撮像装置の誤動作を確実に防止することが可能となる。
【図面の簡単な説明】
【００６４】
【図１】本発明の実施の形態に係る撮像装置のレンズ鏡筒としての鏡筒ユニットの構成を示す分解斜視図である。
【図２】鏡筒ユニットのフォーカスユニットの構成を示す分解斜視図である。
【図３】鏡筒ユニットの２群シャッタユニットの構成を示す分解斜視図である。
【図４】鏡筒ユニットの１群バリアユニットの構成を示す分解斜視図である。
【図５】鏡筒ユニットのズームユニットの構成を示す分解斜視図である。
【図６】フレキシブル基板の導通線の配線状態を示す展開図である。
【図７】固定地板に対するフレキシブル基板の第１の配線部の実装状態を示す斜視図である。
【図８】固定地板に対するフレキシブル基板の第１の配線部の実装状態を示す背面図である。
【図９】フレキシブル基板の第２の配線部と鏡筒ユニットとの接続状態を示す背面図である。
【図１０】図９の矢視Ａ−Ａ線に沿う部分断面図である。
【図１１】鏡筒ユニットの撮像素子ユニットの構成を示す分解斜視図である。
【図１２】鏡筒ユニットが撮像装置本体に固定される状態を示す分解斜視図である。
【図１３】鏡筒ユニットが撮像装置本体に固定された状態を示す背面図である。
【図１４】図１３の矢視Ｂ−Ｂ線に沿う部分断面図である。
【図１５】メイン基板が撮像装置本体に組込まれた状態を示す斜視図である。
【符号の説明】
【００６５】
１  鏡筒ユニット（レンズ鏡筒）
２  固定地板（レンズ鏡筒基部）
９  フォーカスモータ（撮影駆動系）
２０  直進筒（レンズ鏡筒を構成する部品）
２５  シャッタユニット（撮影駆動系）
４１、６５  固定ネジ（締結手段）
４３  ズームモータ（撮影駆動系）
５３  フレキシブル基板（第２の回路基板）
５３ａ  第１の配線部
５３ｂ  第２の配線部
５３ｈ、５３ｊ  導通線
５３ｉ、５３ｍ  孔
５３ｋ、５３ｎ  パターン
５４  フォトインタラプタ（撮影駆動系）
６３  撮像装置本体
６８  メイン基板（第１の回路基板）
【図１】
0004961360.tif 000002
【図２】
0004961360.tif 000003
【図３】
0004961360.tif 000004
【図４】
0004961360.tif 000005
【図５】
0004961360.tif 000006
【図６】
0004961360.tif 000007
【図７】
0004961360.tif 000008
【図８】
0004961360.tif 000009
【図９】
0004961360.tif 000010
【図１０】
0004961360.tif 000011
【図１１】
0004961360.tif 000012
【図１２】
0004961360.tif 000013
【図１３】
0004961360.tif 000014
【図１４】
0004961360.tif 000015
【図１５】
0004961360.tif 000016